(57)【特許請求の範囲】
【請求項１】
建築物の上階側外壁パネルと下階側外壁パネルとの間の横目地に取り付けられ、シールリップ部が上面に形成され、かつ下面に下階側外壁パネルに固定するための粘着層が設けられた中空の弾性基体と，並びに、上階側外壁パネルを内側から固定する鉄骨材と該鉄骨材を更に内側から固定する固定材との間に立設され、該固定材の表面に貼着される板固定用粘着層、および上階側外壁パネルを内側から固定する鉄骨材の施工により押圧される発泡弾性体が上部に設けられ、かつ下部が前記弾性基体の奥壁に固定された立上がり板材と，を備えることを特徴とする乾式横目地用シール材。
【請求項２】
建築物の上階側外壁パネルと下階側外壁パネルとの間の横目地に取り付けられ、シールリップ部が上面に形成され、かつ下面に下階側外壁パネルに固定するための粘着層が設けられ、しかも先端部に凹状溝が形成された弾性基体と，該弾性基体の凹状溝に嵌合して弾性基体を膨張させる凸状部と、嵌合時に横目地の開口部を覆う頭部とからなるネジ部材と，並びに、上階側外壁パネルを内側から固定する鉄骨材と該鉄骨材を更に内側から固定する固定材との間に立設され、該固定材の表面に貼着される板固定用粘着層、および上階側外壁パネルを内側から固定する鉄骨材の施工により押圧される発泡弾性体が上部に設けられ、かつ下部が前記弾性基体の奥壁に固定された立上がり板材と，を備えることを特徴とする乾式横目地用シール材。
【請求項３】
前記弾性基体は、横目地の巾を規定する肉厚部を有することを特徴とする請求項１又は請求項２に記載の乾式横目地用シール材。
【発明の詳細な説明】
【０００１】
【発明の属する技術分野】
本発明は、建築物の外壁パネル間の横目地に取り付けられてシールする乾式の横目地用シール材に関する。
【０００２】
【従来の技術】
建築物の上階側外壁パネル１と下階側外壁パネル２との間の横目地３をシールするものとしては、図６に示すような湿式のシール材（シーリング材）１０を使用するものや、図７に示すような水切りシート２０を使用するものがある。なお、上階側外壁パネル１および下階側外壁パネル２は内側から鉄骨材４，５によって固定され、鉄骨材４，５は更に内側から鉄骨材４，５よりも太い別の鉄骨材６，７によって固定されている。
【０００３】
前者の図６に示すシール材１０は、横目地３の奥側の鉄骨材６，７に接する部分に長手方向（紙面に対して垂直方向）に延びる断面略楕円形状の発泡弾性体のシール材１１を挿入して、この上から湿式のシール材１０を流し込んで横目地３を塞ぐものである。
【０００４】
また後者の図７に示す水切りシート２０は、図７（ａ）のような長手方向（紙面に対して垂直方向）に延びる長尺状帯２１の上部表面に発泡弾性体２２を，上部裏面に粘着層２３を設け、下部裏面に粘着層２４を設けてなるものである。
この水切りシート２０の施工は、鉄骨材６，７に対して下階側外壁パネル２とそれを固定する下側の鉄骨材５が施工された後、図７（ｂ）に示すように水切りシート２０の上部裏面を粘着層２３によって上側の太い鉄骨材６の表面に貼着するとともに下部裏面を粘着層２４によって下階側外壁パネル２の表面に貼着する。次に発泡弾性体２２を押圧する状態で、鉄骨材６に対して上階側外壁パネル１とそれを固定する上側の鉄骨材４を施工し、そして横目地３の開口部を覆うように化粧カバー２５が上階側外壁パネル１と下階側外壁パネル２との表面に設けられることによって行われる。なお、鉄骨材４と鉄骨材６との間に水切りシート２０を施工することができるための隙間を設けるために、上側の鉄骨材４の巾は下側の鉄骨材５の巾よりも若干狭くされている。
【０００５】
【発明が解決しようとする課題】
しかしながら、前者によれば湿式のシール材１０を使用し、既に取り付けられた上階側外壁パネル１と下階側外壁パネル２との横目地３の全体に流し込む必要があるため施工作業が煩雑で、特に高所においては作業時間を要する。さらに、シール材１０が乾燥するまでの養生期間が必要である。また、耐候性，耐久性に劣り、その上、湿式であるため施工が天候に左右されるという問題がある。
【０００６】
また後者によれば横目地３に長尺状帯２１を通し、横目地３の開口部には、化粧カバー２５を設けるだけであるので見栄えが悪いという問題がある。
【０００７】
そこで本発明の目的は、施工作業を簡易にし、また水密性，耐候性，耐久性に優れ外観上も好ましい乾式横目地用シール材を提供することにある。
【０００８】
【課題を解決するための手段】
上記の目的を達成するために、本発明の乾式横目地用シール材（３０）は、建築物の上階側外壁パネル（１）と下階側外壁パネル（２）との間の横目地（３）に取り付けられ、シールリップ部（３３）が上面に形成され、かつ下面に下階側外壁パネル（２）に固定するための粘着層（３４）が設けられた中空の弾性基体（３１）と，並びに、上階側外壁パネル（１）を内側から固定する鉄骨材（４）と鉄骨材（４）を更に内側から固定する固定材（６）との間に立設され、固定材（６）の表面に貼着される板固定用粘着層（３６）、および上階側外壁パネル（１）を内側から固定する鉄骨材（４）の施工により押圧される発泡弾性体（３７）が上部に設けられ、かつ下部が弾性基体（３１）の奥壁（３１ａ）に固定された立上がり板材（３２）と，を備えるものである（請求項１）。
【０００９】
また、本発明の別の乾式横目地用シール材（４０）は、建築物の上階側外壁パネル（１）と下階側外壁パネル（２）との間の横目地（３）に取り付けられ、シールリップ部（４３）が上面に形成され、かつ下面に下階側外壁パネル（２）に固定するための粘着層（４４）が設けられ、しかも先端部に凹状溝（４１ａ）が形成された弾性基体（４１）と，弾性基体（４１）の凹状溝（４１ａ）に嵌合して弾性基体（４１）を膨張させる凸状部（５１）と、嵌合時に横目地（３）の開口部を覆う頭部（５２）とからなるネジ部材（５０）と，並びに、上階側外壁パネル（１）を内側から固定する鉄骨材（４）と鉄骨材（４）を更に内側から固定する固定材（６）との間に立設され、固定材（６）の表面に貼着される板固定用粘着層（４６）、および上階側外壁パネル（１）を内側から固定する鉄骨材（４）の施工により押圧される発泡弾性体（４７）が上部に設けられ、かつ下部が弾性基体（４１）の奥壁（４１ａ）に固定された立上がり板材（４２）と，を備えるものである（請求項２）。
【００１０】
また弾性基体（３１又は４１）は、横目地（３）の巾（Ｌ）を規定する肉厚部を有するものである（請求項３）。
【００１１】
なお、カッコ内の記号は図面に示し後述する発明の実施の形態の対応要素又は対応事項を示す。
【００１２】
本発明の乾式横目地用シール材によれば、横目地に施工された弾性基体の上面に形成されたシールリップ部によって建築物の上階側外壁パネルとの水密性が得られ、同時に下面に設けられた粘着層によって下階側外壁パネルとの水密性が得られる。またたとえ、水がシールリップ部を越えることがあっても、鉄骨材と固定材との間には立上がり板材が立設され、更に立上がり板材の上部には板固定用粘着層と、鉄骨材の施工により押圧される発泡弾性体とが設けられているので、非常に優れた止水効果が得られる。また、乾式であるので施工作業が天候に左右されることなく、また作業時間も短い、更に耐候性，耐久性にも優れる。
【００１３】
また本発明の別の乾式横目地用シール材によれば、弾性基体の先端部に形成された凹状溝に、ネジ部材を嵌合させると凸状部が凹状溝が嵌まり弾性基体は、横目地内で膨張するので、シール機能が一層向上する。また嵌合時に頭部が横目地の開口部を覆うので見栄えもよい。
【００１４】
更に、弾性基体は、横目地の巾を規定する肉厚部を有するので施工時に上階側外壁パネルと鉄骨材の位置調整が容易になり作業時間の短縮化が図れる。
【００１５】
【発明の実施の形態】
図面を参照して、本発明の実施形態に係る乾式横目地用シール材３０について説明する。図１は乾式横目地用シール材３０を示す側面図，図２は乾式横目地用シール材３０を施工した状態を示す断面図である。なお、従来例と同一部分には同一符号を記した。
【００１６】
乾式横目地用シール材３０は、大別して長手方向（紙面に対して垂直方向）に延びる中空の弾性基体３１とその弾性基体３１の奥壁３１ａに下部が固定された立上がり板材３２とからなる底目地タイプのシール材である。弾性基体３１と立上がり板材３２とは同時に一体押出成形されることにより製造されたものであり、中空部３１ｂは弾性基体３１が変形しやすいように設けられている。
【００１７】
弾性基体３１は、建築物の上階側外壁パネル１と下階側外壁パネル２との間の横目地３に取り付けられるものである。弾性基体３１の上面には２本（数は限定されるものではない）のシールリップ部３３が形成され上階側外壁パネル１間との水密性が保たれている。一方、弾性基体３１の下面には下階側外壁パネル２に弾性基体３１を固定するための粘着層３４が設けられ下階側外壁パネル２間との水密性が保たれている。粘着層３４は未加硫ブチルゴム等の粘着テープである。弾性基体３１にはＥＰＤＭソリッドゴム，あるいはこれにシリコンが配合された耐候性及び耐久性に優れたゴム弾性体が使用されている。なお、ゴム弾性体のかわりにＴＰＣ（熱可塑性エラストマー）を使用してもよい。
【００１８】
また弾性基体３１の先側部分３１ｃはテーパ状に広がっており、取り付けにより横目地３の開口部を十分シールするようになっている。そして、先側部分３１ｃの前面、すなわち外観面には上階側あるいは下階側外壁パネル１，２の色調と同じカラー材３５が弾性基体３１と一体押出成形されている。カラー材３５にはＣＰＥ（塩素化ポリエチレン），ＣＳＭ（クロロスルホン化ポリエチレン），シリコンなどの耐候性及び耐久性に優れたゴム弾性体が使用されている。なお、ゴム弾性体のかわりにＴＰＣ（熱可塑性エラストマー）を使用してもよく、これにかえて塗装してもよい。
【００１９】
立上がり板材３２は、上階側外壁パネル１を内側から固定する鉄骨材４とその鉄骨材４を更に内側から固定する固定材である太い鉄骨材６との間に立設されるものであり、上部裏面には鉄骨材６の表面に立上がり板材３２を貼着する板固定用粘着層３６が設けられ、また上部表面には上階側外壁パネル１固定用の鉄骨材４の施工により押圧される止水用の発泡弾性体３７が設けられている。発泡弾性体３７には連泡ＥＰＤＭ，ウレタン，ＰＶＣスポンジなどが使用されている。
【００２０】
次に、図３を参照して乾式横目地用シール材３０の施工方法について説明する。なお、鉄骨材３，４を内側から固定する固定材として太い鉄骨材６，７を使用するかわりに柱８と梁９が使用されている。
乾式横目地用シール材３０の施工は、柱８と梁９に対して下階側外壁パネル２とそれを固定する下側の鉄骨材５が施工された後、弾性基体３１の下面を粘着層３４によって下階側外壁パネル２の上面に貼着するとともに立上がり板材３２の上部裏面を板固定用粘着層３６によって柱８と梁９の表面に貼着する。そして、発泡弾性体３７を押圧する状態で、柱８と梁９に対して上階側外壁パネル１とそれを固定する上側の鉄骨材４を施工する。このとき、弾性基体３１の奥壁３１ａ部分の肉厚はスペーサとして機能し横目地３の巾Ｌを規定するようになっているので、上階側外壁パネル１と鉄骨材４の位置調整が容易である。なお、多少のバラツキはシールリップ部３３によって解消される。
以上により作業が完了する。なお、鉄骨材４と鉄骨材６との間に立上がり板材３２を施工することができるための隙間を設けるために、上側の鉄骨材４の巾は下側の鉄骨材５の巾よりも若干狭くされている。
【００２１】
これによれば、上階側外壁パネル１との水密性はシールリップ部３３により、下階側外壁パネル２との水密性は粘着層３４により保持され、シールリップ部３３を水が越えることがあっても立上がり板材３２があり、更には板固定用粘着層３６及び発泡弾性体３７が存在するので非常に優れた止水効果が得られる。なお、弾性基体３１を越えて浸入した水はやがて縦目地３８をつたわって流れ落ちる。
【００２２】
本実施形態では、いわゆる底目地タイプの乾式横目地用シール材３０を示したが、これにかえて図４および図５に示すような、かぶせタイプの乾式横目地用シール材４０としてもよい。すなわち、弾性基体４１の先端部には凹状溝４１ｂが形成され、下階側外壁パネル２と鉄骨材５の施工後に乾式横目地用シール材４０が取り付けられ、上階側外壁パネル１と鉄骨材４が施工された後、凹状溝４１ｂに嵌合する凸状部５１と頭部５２を有するネジ部材５０を嵌合する。これにより弾性基体４１は膨張するので、シール機能が一層向上する。また嵌合時に頭部５２が横目地３の開口部を覆うので見栄えもよい。なお、頭部５２には乾式横目地用シール材３０のカラー材３５と同様のカラー材５３が一体押出成形され、また乾式横目地用シール材３０と同様の立上がり板材４２，シールリップ部４３，粘着層４４，板固定用粘着層４６，発泡弾性体４７が備わっている。
【００２３】
【発明の効果】
以上のとおり、本発明の乾式横目地用シール材によれば、水の浸入を防止するための手段がシールリップ部，粘着層，立上がり板材，板固定用粘着層，発泡弾性体と２重、３重と設けられているので、非常に優れた止水効果が得られる。また、乾式であるので施工作業が天候に左右されることなく、また作業時間も短い、更に耐候性，耐久性にも優れる、外観性も優れる。
【００２４】
また本発明の別の乾式横目地用シール材によれば、弾性基体の先端部に形成された凹状溝に、ネジ部材を嵌合させると凸状部と凹状溝が嵌まり弾性基体は、横目地内で膨張するので、シール機能が一層向上する。また嵌合時に頭部が横目地の開口部を覆うので見栄えもよい。更に、弾性基体は、横目地の巾を規定する肉厚部を有するので施工時に上階側外壁パネルと鉄骨材の位置調整が容易になり作業時間の短縮化が図れる。
【図面の簡単な説明】
【図１】本実施形態に係る、乾式横目地用シール材３０を示す側面図である。
【図２】図１に示す乾式横目地用シール材３０が施工された状態を示す断面図である。
【図３】図１に示す乾式横目地用シール材３０の施工過程を示す斜傾図である。
【図４】もう一つの実施形態に係る、乾式横目地用シール材４０を示す側面図である。
【図５】図４の乾式横目地用シール材４０が施工された状態を示す断面図である。
【図６】従来例に係る、湿式のシール材１０が施工された状態を示す断面図である。
【図７】（ａ）はもう一つの従来例に係る、水切りシート２０を示す側面図であり、（ｂ）は水切りシート２０が施工された状態を示す断面図である。
【符号の説明】
１        上階側外壁パネル
２        下階側外壁パネル
３        横目地
４        上側の鉄骨材
５        下側の鉄骨材
６        上側の太い鉄骨材
７        下側の太い鉄骨材
１０        シール材
１１        発泡弾性体のシール材
２０        水切りシート
２１        長尺状帯
２２        発泡弾性体
２３        粘着層
２４        粘着層
２５        化粧カバー
３０        乾式横目地用シール材
３１        弾性基体
３１ａ      奥壁
３１ｂ      中空部
３１ｃ      先側部分
３２        立上がり板材
３３        シールリップ部
３４        粘着層
３５        カラー材
３６        板固定用粘着層
３７        発泡弾性体
３８        縦目地
４０        乾式横目地用シール材
４１        弾性基体
４１ａ      奥壁
４１ｂ      凹状溝
４２        立上がり板材
４３        シールリップ部
４４        粘着層
４６        板固定用粘着層
４７        発泡弾性体
５０        ネジ部材
５１        凸状部
５２        頭部
５３        カラー材
【図１】
0003600362.tif 000002
【図２】
0003600362.tif 000003
【図３】
0003600362.tif 000004
【図４】
0003600362.tif 000005
【図５】
0003600362.tif 000006
【図６】
0003600362.tif 000007
【図７】
0003600362.tif 000008